(57)【要約】【課題】逆流防止ダイオードによる発熱や電力損失を、逆流防止作用を損なうことなく抑制できると共に、より小型化できる太陽光発電システム用の接続箱を提供する。【解決手段】接続箱の構成を、複数の太陽電池グループごとに出力された直流電流を入力するための複数の入力端子それぞれとワーコンディショナへの出力端子との間の電力移送ラインを遮断または接続する第一電磁リレー、及び、その駆動を制御する開閉制御手段と、複数の電力移送ラインそれぞれに直列に接続された逆流防止ダイオードＤ、逆流防止ダイオードに並列に接続された逆流防止回路１１、逆流防止回路を開閉する第二電磁リレーＲ２、及び、逆流防止ダイオード及び逆流防止回路を流れる電流の大きさに基づき第二電磁リレーの駆動を制御する逆流防止制御手段（電流検出回路１２、判定回路１５、第二リレー駆動回路１６）を有する逆流防止制御回路１０とが、函体に収容されている構成とする。【選択図】図１
2016226198.tif 000002
【特許請求の範囲】
【請求項１】
それぞれ正極及び負極一対からなり、複数の太陽電池グループごとに出力された直流電流を入力するための複数の入力端子と、
複数の該入力端子からの直流電流を一つにまとめてパワーコンディショナへ出力するための正極及び負極一対からなる出力端子と、
複数の前記入力端子それぞれと前記出力端子との間の電力移送ラインを遮断または接続する第一の電磁リレーの駆動を制御する開閉制御手段と、
複数の前記電力移送ラインそれぞれに直列に接続された逆流防止ダイオード、該逆流防止ダイオードに並列に接続された逆流防止回路、該逆流防止回路を開閉する第二の電磁リレー、及び、前記逆流防止ダイオード及び前記逆流防止回路を流れる電流の大きさに基づき前記第二の電磁リレーの駆動を制御する逆流防止制御手段を有する逆流防止制御回路と、
が函体に収容されている
ことを特徴とする太陽光発電システム用の接続箱。
【請求項２】
前記逆流防止ダイオードの近傍の温度を検出する温度センサを更に具備し、
前記開閉制御手段は、前記温度センサによる温度の検出に基づき、前記第一の電磁リレーの駆動を制御することにより前記電力移送ラインを遮断する
ことを特徴とする請求項１に記載の太陽光発電システム用の接続箱。
【請求項３】
前記逆流防止回路の開閉のために検出された前記逆流防止ダイオード及び前記逆流防止回路を流れる電流を、前記太陽電池グループと関連付けられた発電状況データとする発電状況データ生成手段と、
前記発電状況データを記憶させる記憶手段、及び、前記発電状況データを接続箱外部の記憶装置に送信する通信手段の少なくとも一方と、
を更に具備する
ことを特徴とする請求項１または請求項２に記載の太陽光発電システム用の接続箱。
【発明の詳細な説明】
【技術分野】
【０００１】
本発明は、太陽光発電システムにおいて太陽電池とパワーコンディショナとを接続する接続箱に関するものである。
【背景技術】
【０００２】
太陽光発電システムでは、太陽電池から出力された直流電流を、パワーコンディショナで交流電流に変換する。その際、太陽電池セルを数十枚配列し周囲を枠体で保持させた太陽電池モジュールの複数を、直列に接続した太陽電池ストリング、或いは、太陽電池ストリングを更に複数まとめた太陽電池アレイである太陽電池グループごとに、直流電流が接続箱に入力され、接続箱で一つにまとめられた後、一対のケーブルによってパワーコンディショナに出力される。
【０００３】
従来の接続箱は、図３に示すように、複数の太陽電池グループＰＶごとに出力された直流電流をそれぞれ入力するための正極及び負極一対の入力端子Ｔｉｎと、複数対の入力端子Ｔｉｎからの直流電流を一つにまとめてパワーコンディショナへ出力するための正極及び負極一対の出力端子Ｔｏｕｔと、保守点検等の際に太陽電池グループごとパワーコンディショナとの接続を手操作で切り離すための開閉器ＳＷと、複数の入力端子Ｔｉｎそれぞれと出力端子Ｔｏｕｔとの間に、直列に接続された逆流防止ダイオードＤと、並列に接続されたサージアブソーバＳＰとを主な構成とするものであり、これらが一つの函体に収容されている。
【０００４】
ここで、逆流防止ダイオードは、太陽電池の受光量の差などに起因して太陽電池グループ間に電圧差が生じた場合に、電圧の高い太陽電池グループから電圧の低い太陽電池グループに電流が逆流し、太陽電池が損傷を受けることを防止するものである。
【０００５】
しかしながら、逆流防止ダイオードに順方向に電流が流れている正常時は、逆流防止ダイオードにおける電圧降下により電力損失が生じる。また、逆流防止ダイオードによる電力の消費に伴い、熱が発生する。一般的な太陽光発電システムでは、逆流防止ダイオード一つ当たり１０Ａ程度の順方向電流が流れるため、発熱量は少ないものではない。そのため、熱により部品が損傷するおそれや短寿命となる問題があった。
【０００６】
ところで、本出願人は、過去に接続箱に関する技術を提案している（特許文献１参照）。この接続箱は、逆流防止ダイオードを放熱板に密着させることにより、逆流防止ダイオードで発生した熱を効率良く逃がすものである。しかしながら、熱を効率良く放熱させたとしても、逆流防止ダイオードにおける電力損失の問題は解決できないため、熱の発生自体と、これに伴う電力損失を抑制することが要請されていた。
【０００７】
また、特許文献１の接続箱は、電気的な接続に金属板を用いることで配線コードの本数を削減すると共に、逆流防止ダイオード及びサージアブソーバを単一の基板に実装し、この基板を縦に立設させることにより、従前の接続箱より小型化したものである。しかしながら、更に小型化することに対する要請があった。
【先行技術文献】
【特許文献】
【０００８】
【特許文献１】特開２０１５−０７２９６３号公報
【発明の概要】
【発明が解決しようとする課題】
【０００９】
そこで、本発明は上記の実情に鑑み、逆流防止ダイオードによる発熱や電力損失を、逆流防止作用を損なうことなく抑制できると共に、より小型化することができる太陽光発電システム用の接続箱の提供を、課題とするものである。
【課題を解決するための手段】
【００１０】
上記の課題を解決するため、本発明にかかる太陽光発電システム用の接続箱（以下、単に「接続箱」と称することがある）は、
「それぞれ正極及び負極一対からなり、複数の太陽電池グループごとに出力された直流電流を入力するための複数の入力端子と、
複数の該入力端子からの直流電流を一つにまとめてパワーコンディショナへ出力するための正極及び負極一対からなる出力端子と、
複数の前記入力端子それぞれと前記出力端子との間の電力移送ラインを遮断または接続する第一の電磁リレーの駆動を制御する開閉制御手段と、
複数の前記電力移送ラインそれぞれに直列に接続された逆流防止ダイオード、該逆流防止ダイオードに並列に接続された逆流防止回路、該逆流防止回路を開閉する第二の電磁リレー、及び、前記逆流防止ダイオード及び前記逆流防止回路を流れる電流の大きさに基づき前記第二の電磁リレーの駆動を制御する逆流防止制御手段を有する流防止制御回路と、が函体に収容されている」ものである。
【００１１】
「太陽電池グループ」は、複数の太陽電池モジュールを直列に接続した太陽電池ストリング、或いは、太陽電池ストリングを更に複数まとめた太陽電池アレイを指している。
【００１２】
本構成では、逆流防止ダイオードに並列に接続された逆流防止回路を有しており、太陽電池の出力が大きく逆流防止ダイオードに逆流のおそれがない程度の電流が流れているときは、電磁リレー（第二の電磁リレー）で逆流防止回路を閉じて電流を流す一方、太陽電池の出力が小さく低電流のときは、逆流防止回路を開いて逆流防止ダイオードに電流を流すように制御することができる。また、逆流防止回路を閉じて電流を流している際に、太陽電池からの出力が低下し、逆流防止回路を流れる電流が減少した場合、逆流防止回路を開いて逆流防止ダイオードに電流を流すように制御することができる。つまり、逆流防止ダイオードに電流が流れるのは、逆流のおそれがある低電流のときだけ、とすることができる。そのため、逆流防止ダイオードによる逆流防止作用を損なうことなく、逆流防止ダイオードにおける熱の発生や電力損失を抑制することができる。
【００１３】
なお、逆流防止回路の開閉の判定は、逆流防止ダイオード及び逆流防止回路を流れる電流を、予め定めた値と対比することにより行うことができる。その際、逆流防止回路を開く基準となる値と、流防止回路を閉じる基準となる値とは同一でなくても良く、両基準値に多少の差を設けることにより、頻繁な開閉を抑制することができる。また、逆流防止ダイオード及び逆流防止回路を流れる「電流の大きさに基づく制御」は、電流の検出に基づくものであっても、電圧を検出して換算された電流に基づくものであっても良い。
【００１４】
また、本構成では、太陽電池からの入力端子とパワーコンディショナへの出力端子との間の電力移送ラインの遮断と接続が、電磁リレー（第一の電磁リレー）によって切り替えられる。これにより、操作レバーを倒したりスライドさせたりする等、手操作で開閉する開閉器を備えていた従来の接続箱に比べて、太陽電池とパワーコンディショナとの接続及び遮断のための所要スペースを大幅に削減することができるため、接続箱を小型化することができる。加えて、上記のように逆流防止ダイオードにおける発熱が抑制されているため、従来の接続箱に比べて放熱のための構成を簡易にすることができ、この点からも接続箱を小型化することができる。
【００１５】
本発明にかかる接続箱は、上記構成に加えて、
「前記逆流防止ダイオードの近傍の温度を検出する温度センサを更に具備し、
前記開閉制御手段は、前記温度センサによる温度の検出に基づき、前記第一の電磁リレーの駆動を制御することにより前記電力移送ラインを遮断する」ものとすることができる。
【００１６】
逆流防止のために上記構成を採用する場合、万一、逆流防止回路の開閉を制御する逆流防止制御手段において何らかの故障が発生すると、逆流防止ダイオードの発熱によって不具合が生じるおそれがある。これに対し、本構成では、温度センサによって逆流防止ダイオードの近傍の温度を検出し、予め定めた温度に達したら入力端子と出力端子との間の電力移送ラインを遮断するように制御することができる。このような制御は、電力移送ラインの遮断と接続との切り替えを、電磁リレー（第一の電磁リレー）によって行う構成を採用したことにより、可能となったものである。
【００１７】
従って、本構成の接続箱は、逆流防止制御手段が故障する万一の場合に備えたセーフティ機能を有しており、使用者が安心感及び信頼感を持って使用することができる。
【００１８】
本発明にかかる接続箱は、上記構成に加えて、
「前記逆流防止回路の開閉のために検出された前記逆流防止ダイオード及び前記逆流防止回路を流れる電流を、前記太陽電池グループと関連付けられた発電状況データとする発電状況データ生成手段と、
前記発電状況データを記憶させる記憶手段、及び、前記発電状況データを接続箱外部の記憶装置に送信する通信手段の少なくとも一方と、
を更に具備する」ものとすることができる。
【００１９】
太陽電池パネルが破損したり汚れたりした場合、或いは、太陽電池モジュール同志を接続するケーブルが断線した場合など、太陽光発電システムにおいて何らかの異常が発生すると、接続箱に入力される太陽電池の出力が低下する。従来は、接続箱からパワーコンディショナに出力され交流に変換された電流のトータルの値の低下や変動によって、太陽光発電システムにおいて何らかの異常が発生したことは分かるものの、どこで異常が起きたかまでを特定することはできなかった。太陽電池モジュール自体に電流、電圧、温度などを検出するデバイスを設け、検出されたデータを管理装置に送信する技術も提案されてはいるが、それでは設備が大がかりとなり高コストとなってしまう。
【００２０】
これに対し、本構成では、逆流防止回路の開閉のために検出された逆流防止ダイオード及び前記逆流防止回路を流れる電流を、太陽光発電システムの異常検出のためにも有効に活用するものである。検出された電流が、太陽電池グループと関連付けられた発電状況データとされることにより、太陽電池ストリング単位または太陽電池アレイ単位で異常を検出することができるため、異常の生じた箇所の特定や解析が容易化されている。
【発明の効果】
【００２１】
以上のように、本発明の効果として、逆流防止ダイオードによる発熱や電力損失を、逆流防止作用を損なうことなく抑制できると共に、より小型化することができる太陽光発電システム用の接続箱を、提供することができる。
【図面の簡単な説明】
【００２２】
【図１】本発明の一実施形態である接続箱における逆流防止回路の近傍の構成図である。
【図２】図１の接続箱の全体構成図である。
【図３】従来の接続箱の構成図である。
【発明を実施するための形態】
【００２３】
以下、本発明の一実施形態である接続箱について図１及び図２を用いて説明する。本実施形態の接続箱は、それぞれ正極及び負極一対からなり、複数の太陽電池グループＰＶごとに出力された直流電流を入力するための複数の入力端子Ｔｉｎと、複数の入力端子Ｔｉｎからの直流電流を一つにまとめてパワーコンディショナへ出力するための正極及び負極一対からなる出力端子Ｔｏｕｔと、複数の入力端子Ｔｉｎそれぞれと出力端子Ｔｏｕｔとの間の電力移送ラインを遮断または接続する第一電磁リレーＲ１の駆動を制御する開閉制御手段５１と、複数の電力移送ラインそれぞれに直列に接続された逆流防止ダイオードＤ、逆流防止ダイオードＤに並列に接続された逆流防止回路１１、逆流防止回路１１を開閉する第二電磁リレーＲ２、及び、逆流防止ダイオードＤ及び逆流防止回路１１を流れる電流の大きさに基づき第二電磁リレーＲ２の駆動を制御する逆流防止制御手段を有する逆流防止制御回路１０とを具備しており、これらの構成が函体（図示しない）に収容されている。
【００２４】
また、本実施形態の接続箱は、上記の構成に加えてマイクロコントローラ４０を備えており、マイクロコントローラ４０のメモリ４２には、開閉制御手段５１としてマイクロコントローラ４０のＣＰＵ４１を機能させるプログラムが記憶されている。更に、接続箱は、複数の太陽電池グループＰＶそれぞれの出力の一部を抵抗を介して取り込み、電流または電圧を検出すると共に、接続箱の各構成を作動させる電力を得る電源回路２１と、第一電磁リレーＲ１の駆動を制御する第一リレー駆動回路２６とを有している。
【００２５】
開閉制御手段５１は、電源回路２１によって検出された電流または電圧と、電源回路２１の抵抗値に基づいて太陽電池グループＰＶの出力を算出し、予め定めた基準値と対比する。そして、太陽電池グループＰＶの出力が基準値以上であれば、開閉制御手段５１は第一リレー駆動回路２６に電気信号を送出する。第一リレー駆動回路２６によって制御される第一電磁リレーＲ１のスイッチング動作により、太陽電池グループＰＶ一つ当たり一対のラインからなる電力移送ラインにおいて、開状態がデフォルトである接点が閉じる。これにより、入力端子Ｔｉｎに入力された太陽電池グループＰＶからの出力が、電力移送ラインを介して出力端子Ｔｏｕｔまで移送される。その移送の途中では、電流は逆流防止ダイオードＤ及び逆流防止回路１１の何れか一方を流れる。
【００２６】
より詳細に説明すると、逆流防止制御手段は、図１に示すように、逆流防止ダイオードＤ及び逆流防止回路１１の下流側に直列に接続されて電流を検出する電流検出回路１２と、検出された電流値を予め定めた基準値と対比し、逆流防止回路１１の開閉を判定する判定回路１５と、判定回路１５の判定に基づき第二電磁リレーＲ２を駆動する第二リレー駆動回路１６を備えている。
【００２７】
例えば、電流検出回路１２では抵抗の両端の電圧に基づき電流を検出する。そして、逆流防止回路１１を開閉する基準値をＮアンペアとする場合、検出された電流がＮアンペア以上であると判定回路１５により判定されれば、第二リレー駆動回路１６によって駆動が制御された第二電磁リレーＲ２のスイッチング動作により、逆流防止回路１１が閉じる。これにより、逆流防止ダイオードＤには電流が流れることなく、逆流防止回路１１に電流が流れる。一方、検出された電流がＮアンペア未満であると判定回路１５により判定されれば、第二電磁リレーＲ２のスイッチング動作により逆流防止回路１１が開き、逆流防止ダイオードＤの方に電流が流れる。また、逆流防止回路１１が閉じられて電流が流れている際に、太陽電池グループＰＶからの出力が低下した場合、電流検出回路１２で検出された電流がＮアンペア未満であると判定回路１５により判定されれば、第二リレー駆動回路１６によって駆動が制御された第二電磁リレーＲ２のスイッチング動作により、逆流防止回路１１が開く。これにより、電流の流れる経路が逆流防止回路１１から逆流防止ダイオードＤに切り替わる。
【００２８】
本実施形態の接続箱は、上記構成に加えて、逆流防止ダイオードＤの近傍の温度を検出する温度センサＳｔとして、サーミスタを具備している。そして、開閉制御手段５１は、温度センサＳｔにより検出された温度を、予め定めた基準値と対比する。そして、逆流防止ダイオードＤの近傍の温度が基準値以上に高くなっていれば、開閉制御手段５１は第一リレー駆動回路２６に電気信号を送出し、第一リレー駆動回路２６によって制御される第一電磁リレーＲ１のスイッチング動作により、電力移送ラインにおいてそれまでは閉じていた接点が開く。これにより、入力端子Ｔｉｎから出力端子Ｔｏｕｔに向かって電力を移送する電力移送ラインが遮断される。
【００２９】
なお、本実施形態の接続箱は、手動による操作によって電気信号を送出する操作ボタンＢｕを太陽電池グループＰＶごとに備えている。開閉制御手段５１は、操作ボタンＢｕからの電気信号を受信すると、その太陽電池グループＰＶに対応した第一リレー駆動回路２６に電気信号を送出する。これにより、上記と同様の動作により、それまで遮断されていた電力移送ラインは接続され、それまで接続されていた電力移送ラインは遮断される。つまり、本実施形態の接続箱では、開閉制御手段５１による判定に基づき自動的に電力移送ラインを遮断及び接続させることも、手動による操作に基づき電力移送ラインを遮断及び接続することも可能である。
【００３０】
また、接続箱は、太陽電池グループＰＶごとに電力移送ラインの遮断及び接続の状況を表示する発光ダイオードＬＥＤと、発光ダイオードＬＥＤを制御する表示制御手段５２とを備えている。そして、マイクロコントローラ４０のメモリ４２には、表示制御手段５２としてマイクロコントローラ４０のＣＰＵ４１を機能させるプログラムが記憶されている。表示制御手段５２は、開閉制御手段５１が第一リレー駆動回路２６に電気信号を送出する際に、同時に送出される電気信号と、操作ボタンＢｕから送出される電気信号に基づき、太陽電池グループＰＶごとに電力移送ラインの現時点での接続状況を判断する。そして、電力移送ラインが接続されている場合はその太陽電池グループＰＶに対応する発光ダイオードＬＥＤを点灯させ、遮断されている場合は発光ダイオードＬＥＤを消灯させる。また、表示制御手段５２は、温度センサＳｔによる温度の検出に基づいて電力移送ラインが遮断された場合は、発光ダイオードＬＥＤを点滅させる構成とすることができる。
【００３１】
本実施形態の接続箱は、上記構成に加え、逆流防止回路１１の開閉のために検出された逆流防止ダイオードＤ及び逆流防止回路１１を流れる電流を、太陽電池グループＰＶと関連付けられた発電状況データとする発電状況データ生成手段５３と、発電状況データを記憶させる記憶手段５４と、発電状況データを接続箱外部の記憶装置６０に送信する通信手段５５とを具備している。そして、マイクロコントローラ４０のメモリ４２には、発電状況データ生成手段５３、記憶手段５４、通信手段５５としてマイクロコントローラ４０のＣＰＵ４１を機能させるプログラムが記憶されている。
【００３２】
具体的に説明すると、逆流防止制御手段の電流検出回路１２によって検出された電流値は、電流入力回路３１によって発電状況データ生成手段５３に送信される。発電状況データ生成手段５３は、受信した電流値を太陽電池グループＰＶと関連付けると共に、マイクロコントローラ４０が備えるタイマ４３の時間情報を付して発電状況データを生成する。生成された発電状況データは、記憶手段５４及び通信手段５５それぞれに送信される。記憶手段５４は、受信した発電状況データをマイクロコントローラ４０のメモリ４２に記憶させる。
【００３３】
なお、記憶手段５４は、開閉制御手段５１による電力移送ラインの遮断及び接続の履歴情報を、太陽電池グループＰＶと関連付けると共に、タイマ４３の時間情報を付して開閉履歴データとし、マイクロコントローラ４０のメモリ４２に記録させる処理も行う。
【００３４】
一方、通信手段５５は、受信した発電状況データを、接続箱外部の記憶装置６０に送信する。接続箱外部の記憶装置６０としては、パワーコンディショナが備える記憶装置や、太陽光発電システムを管理する管理用コンピュータが備える記憶装置を例示することができる。
【００３５】
上記の構成の他、接続箱は、従来の接続箱と同様に、太陽電池グループＰＶごと電力移送ラインに並列に接続されたサージアブソーバＳＰを具備している。そして、電源回路２１、第一電磁リレーＲ１、第一リレー駆動回路２６、逆流防止ダイオードＤ、逆流防止回路１１、第二電磁リレーＲ２、電流検出回路１２、判定回路１５、第二リレー駆動回路１６、電流入力回路３１、温度センサＳｔ、サージアブソーバＳＰ、及びマイクロコントローラ４０は、単一の基板（図示しない）に実装されている。
【００３６】
そして、この基板に、入力端子Ｔｉｎ、出力端子Ｔｏｕｔ、操作ボタンＢｕ、発光ダイオードＬＥＤが電気的に接続された状態で、函体に収容されている。従来の接続箱の函体は金属製であったが、本実施形態の接続箱では発熱が抑制されているため、樹脂製とすることもできる。また、発熱が抑制されているため、函体の内部にヒートシンクを設けなくても良く、設けるとしても従来の接続箱に比べて簡易化することができる。
【００３７】
以上のように、本実施形態の接続箱によれば、太陽電池の出力が大きく逆流防止ダイオードＤに逆流のおそれがない程度の電流が流れているときは、逆流防止ダイオードＤに並列に接続された逆流防止回路１１に電流を流し、太陽電池の出力が小さく逆流のおそれがある低電流のときのみに逆流防止ダイオードＤに電流を流す。これにより、逆流防止ダイオードＤによる逆流防止作用を損なうことなく、逆流防止ダイオードＤにおける熱の発生や電力損失を抑制することができる。
【００３８】
また、太陽電池からの入力端子Ｔｉｎとパワーコンディショナへの出力端子Ｔｏｕｔとの間の電力移送ラインの遮断と接続が、電磁リレー（第一電磁リレーＲ１）によって切り替えられる構成であるため、手操作で操作レバーを倒す等により開閉器を開閉していた従来の接続箱に比べて、小型化することができる。なお、第一電磁リレーＲ１は、電源回路２１を介した太陽電池グループＰＶの出力の検出に基づいて駆動される他、操作ボタンＢｕの手動操作に基づいても駆動されるが、操作ボタンＢｕは開閉制御手段５１に電気信号を送出できる構成であれば足りるため、従来の接続箱の開閉器とは異なり所要スペースが小さい。
【００３９】
そして、接続箱の内部に収容される殆どの構成が、単一の基板に実装されているため、この点からも、従来の接続箱に比べてかなり小型化することができる。
【００４０】
加えて、温度センサＳｔが基準値以上の温度を検出すると、強制的に電力移送ラインが遮断される構成を採用しているため、万一、逆流防止回路１１の制御に不具合が生じても、逆流防止ダイオードＤの発熱に起因して高温となることが回避されている。
【００４１】
また、逆流防止回路１１の開閉のために検出された電流を、発電状況データとして記憶させ、太陽光発電システムの異常検出のために有効に活用することができる。そして、発電状況データは、太陽電池ストリング単位または太陽電池アレイ単位のデータであるため、太陽光発電システムにおける異常の箇所の特定や解析が容易である。
【００４２】
ここで、接続箱の内部のマイクロコントローラ４０のメモリ４２に記憶させた発電状況データは、接続箱から出力されたトータルの電流値の減少や変動によって、太陽光発電システムに何らかの異常が生じたと考えられた場合に参照する、という使用が可能である。
【００４３】
一方、接続箱外部のコンピュータ等の記憶装置６０に記憶させた発電状況データは、そのコンピュータ等の処理によるリアルタイムのモニタリングや、基準値以下に出力が低下した場合、或いは、大きな出力変動を生じた場合に、アラーム音や非常灯の点灯により警告を発するためのデータ解析に、使用することができる。そして、このような異常が発生したときに、逆に外部のコンピュータ等から接続箱の通信手段５５に電気信号が送出される構成とし、この異常に関する電気信号に基づきマイクロコントローラ４０において何らかの処理を行わせることができる。例えば、異常に関する電気信号を外部のコンピュータ等から受信した通信手段が、この信号を更に表示制御手段５２に送信し、これを受信した表示制御手段５２は、該当する太陽電池グループＰＶの発光ダイオードＬＥＤを点滅させることができる。
【００４４】
また、電力移送ラインは、開閉制御手段５１による判定に基づき自動的に遮断及び接続することも、手動による操作に基づき遮断及び接続することも可能であり、開閉制御手段５１による判定に基づく遮断及び接続にも、太陽電池グループＰＶの出力の検知に基づく場合と、温度センサＳｔによる温度の検知に基づく場合とがある。そのため、現時点での電力移送ラインの接続状況が分かりにくいところ、本実施形態の接続箱は電力移送ラインの接続状況が、発光ダイオードＬＥＤによって分かりやすく表示される。
【００４５】
以上、好適な実施形態を挙げて説明したが、本発明は上記の実施形態に限定されるものではなく、以下に示すように、本発明の要旨を逸脱しない範囲において、種々の改良及び設計の変更が可能である。
【００４６】
例えば、本実施形態では、接続箱に入力される太陽電池グループＰＶの数が４つである場合を図示により例示したが、太陽電池グループＰＶの数はこれに限定されるものではない。
【符号の説明】
【００４７】
１０  逆流防止制御回路
１１  逆流防止回路
１２  電流検出回路（逆流防止制御手段）
１５  判定回路（逆流防止制御手段）
１６  第二リレー駆動回路（逆流防止制御手段）
５１  開閉制御手段
５３  発電状況データ生成手段
５４  記憶手段
５５  通信手段
６０  記憶装置（接続箱外部の記憶装置）
Ｔｉｎ  入力端子
Ｔｏｕｔ  出力端子
Ｒ１  第一電磁リレー（第一の電磁リレー）
Ｒ２  第二電磁リレー（第二の電磁リレー）
Ｄ  逆流防止ダイオード
Ｓｔ  温度センサ
【図１】
2016226198.tif 000003
【図２】
2016226198.tif 000004
【図３】
2016226198.tif 000005